(57)【特許請求の範囲】
【請求項１】
水平面で長さ方向に伸びる編組（１４）を有する時計のバンド用のリンク要素（１２）において、
前記編組（１４）の先端（２２）は、時計（１０）への取り付け器具を有し、
前記取り付け器具は、
前記編組（１４）の先端（２２）に取り付けられるケース（２４）と、
２個の取り付けピン（２６）と
を有し、
前記２個の取り付けピン（２６）は、前記編組（１４）の長さ方向に直交する方向（Ａ）に沿って且つ互いに同軸で、前記ケース（２４）の２つの側面ハウジング（２８）内に収納され、
前記ケース（２４）の横壁から突出した前記各取り付けピン（２６）の自由端は、前記時計（１０）のホーン（３０）に対向して形成された孔内に回転可能に収納され、
前記ケース（２４）は、下部プレート（３２）と上部プレート（３４）とを有し、
前記２つの側面ハウジング（２８）は、それぞれ、前記下部プレート（３２）と前記上部プレート（３４）とで構成され、
前記編組（１４）の先端（２２）は、保持ピン（４４）を有し、
前記保持ピン（４４）は、前記下部プレート（３２）の溝（４６）内に垂直方向から収納され、
前記上部プレート（３４）は、前記下部プレート（３２）に、前記編組（１４）の先端（２２）を前記上部プレート（３４）と前記下部プレート（３２）の間に把持しながら、取り付けられ、
これにより、前記ケース（２４）が前記編組（１４）に取り付けられ、
前記取り付けピン（２６）は、前記ソケット（７８）内に軸方向に伸縮自在に搭載され、
前記ソケット（７８）は、前記ケース（２４）の側面ハウジング（２８）内に、弾性特性を有するスナップヒット手段（８４，８６）で、取り付けられる
ことを特徴とするリンク要素。
【請求項２】
前記上部プレート（３４）は、前記下部プレート（３２）に、相補形状をした弾性特性を有するスナップヒット（７４，７６）により、取り付けられる
ことを特徴とする請求項１記載のリンク要素。
【請求項３】
前記上部プレート（３４）は、前記下部プレート（３２）に、接着により取り付けられる
ことを特徴とする請求項１記載のリンク要素。                 
【請求項４】
前記上部プレート（３４）は、前記下部プレート（３２）に、ネジ止めにより取り付けられる
ことを特徴とする請求項１記載のリンク要素。
【請求項５】
前記下部プレート（３２）は、第１のスナップヒット手段（４８，５２）を有し、
前記第１のスナップヒット手段（４８，５２）は、前記上部プレート（３４）が具備する第２の相補形状をしたスナップヒット手段（６４，７０）に適合し、
これにより、前記下部プレート（３２）が、前記上部プレート（３４）に対し、水平方向に動くのが阻止される
ことを特徴とする請求項１−４のいずれかに記載のリンク要素。
【請求項６】
前記リンク要素（１２）の側面ハウジング（２８）は、隆起部分（８４）を有し、
前記隆起部分（８４）は、前記ソケット（７８）の環状方向溝（８６）内に収納され、前記ソケット（７８）が長手方向に動くのを阻止する
ことを特徴とする請求項１記載のリンク要素。
【請求項７】
前記側面ハウジング（２８）は、連続しており、
前記取り付けピン（２６）は、前記ソケット（７８）の端部部分内に挿入して搭載される
ことを特徴とする請求項１−５のいずれかに記載のリンク要素。
【請求項８】
前記下部プレート（３２）は、下部エッジ（９０）を有し、
前記下部エッジ（９０）は、前記時計（１０）の外形に合うように、水平かつ前方向に伸び、前記リンク要素（１２）の先端（２２）が、時計（１０）に対し回転するのを制限する
ことを特徴とする請求項１−７のいずれかに記載のリンク要素。
【請求項９】
前記編組（１４）は、一体で形成されたフレキシブルなコアである
ことを特徴とする請求項１−８のいずれかに記載のリンク要素。
【請求項１０】
前記編組（１４）は、上部包囲体（１８）によりカバーされ、
前記上部包囲体（１８）は、前記ケース（２４）の上部プレート（３４）上方へ伸びる
ことを特徴とする請求項１−９のいずれかに記載のリンク要素。
【請求項１１】
前記上部包囲体（１８）の先端部分は、下方向に折り曲げられ、前記下部プレート（３２）の下部エッジ（９０）まで伸びる
ことを特徴とする請求項１０記載のリンク要素。
【請求項１２】
前記下部エッジ（９０）は、中央リセス（９２）を有し、
前記中央リセス（９２）により、前記上部包囲体（１８）の先端舌状部（９４）は、下方向に折り曲げられて、前記編組（１４）の底部表面下に取り付けられる
ことを特徴とする請求項１１記載のリンク要素。
【請求項１３】
前記上部包囲体（１８）は、レザー製である
ことを特徴とする請求項１１−１２のいずれかに記載のリンク要素。
【請求項１４】
前記上部包囲体（１８）は、天然繊維製又は合成繊維製である
ことを特徴とする請求項１１−１２のいずれかに記載のリンク要素。
【発明の詳細な説明】
【技術分野】
【０００１】
本発明は、リンク要素に関し、特に、編組（バンド、ストランド）を有する時計用のバンドあるいはブレスレットで、その先端は時計に取り付ける器具を有するリンク要素に関する。
【背景技術】
【０００２】
本発明は、以下の特徴を有する水平面で長さ方向に伸びる編組を有する、例えば時計のバンド用のリンク要素に適用される。前記編組の先端は、時計への取り付け器具を有し、前記取り付け器具は、前記編組の先端に取り付けられるケースと、前記ケースの側面ハウジング内に収納される、長手方向軸（Ａ）を有する２個の取り付けピンとを有し、前記取り付けピンの自由端は、前記時計の２個の対向する開口内で、前記長手方向軸（Ａ）の周囲に回転可能に収納される。
【０００３】
この種のブレスレット用リンク要素は公知である。ケースは、一般的に一体物で形成され、編組に固定される。
【０００４】
ケースを編組に固定するために、編組の先端を曲げて、ケースが導入されるループを形成する。
【０００５】
【特許文献１】スイス特許第６８９，３６９号明細書
【０００６】
特許文献１は、編組の先端にケースを配置し、この編組とケースを共通の包囲体でカバーして、ケースを編組で組み立てる方式を提案している。かくしてこの包囲体が、ケースを編組に固定する。
【発明の開示】
【発明が解決しようとする課題】
【０００７】
ケースを固定するこれらの方法の全ては、精密でかつ手間のかかる作業を必要とする。本発明の目的は、上記した欠点を解決するものである。
【課題を解決するための手段】
【０００８】
本発明のリンク要素においては、前記ケースは、下部プレートと上部プレートとを有し、前記編組の先端は、保持ピンを有し、前記保持ピンは、前記下部プレートの溝内に垂直方向から収納され、前記上部プレートは、前記下部プレートに、前記編組の先端を把持しながら、取り付けられる。これにより、前記ケースが前記編組に取り付けられる。
【０００９】
更に、本発明のリンク要素は、以下の特徴を有する。
前記上部プレートは、下部プレートに、相補形状をした弾性特性を有するスナップヒットにより取り付けられる。
前記上部プレートは、下部プレートに、接着により取り付けられる。
前記上部プレートは、下部プレートに、ネジ止めにより取り付けられる。
前記下部プレートは、第１のスナップヒット手段を有し、前記第１のスナップヒット手段は、上部プレートが具備する第２の相補形状をしたスナップヒット手段に適合し、これにより、下部プレートが、上部プレートに対し、水平方向に動くのが阻止される。
前記取り付けピンは、ソケット内に軸方向に伸縮自在に搭載され、前記ソケットは、ケースの側面ハウジング内に、弾性特性を有するスナップヒット手段で取り付けられる。
前記リンク要素の側面ハウジングは、隆起部分を有し、前記隆起部分は、ソケットの環状方向溝内に収納され、前記ソケットが長手方向に動くのを阻止する。
前記側面ハウジングは、連続しており、前記取り付けピンは、１個のソケットの端部部分内に挿入して搭載される。
前記下部プレートは、下部エッジを有し、前記下部エッジは、前記時計の外形に合うように、水平かつ前方向に伸び、前記リンク要素の先端が、時計に対し回転するのを制限する。
前記編組は、一体で形成されたフレキシブルなコアである。
前記編組は、上部包囲体によりカバーされ、前記上部包囲体は、ケースの上部プレート上方へ伸びる。
前記上部包囲体の先端部分は、下方向に折り曲げられ、少なくとも下部プレートの下部エッジまで伸びる。
前記下部エッジは、中央リセスを有し、前記中央リセスにより、上部包囲体の先端舌状部は、下方向に折り曲げられて、前記編組の底部表面下に取り付けられる。
前記上部包囲体は、レザー製である。
前記上部包囲体は、天然繊維製又は合成繊維製である。
【実施例】
【００１０】
図１は、時計１０の両側に伸びる２個のリンク要素１２を有するブレスレット（実施例では時計バンドである）を取り付けた時計１０を示す。
【００１１】
以下の説明は、図１の右側に示したリンク要素１２を例に説明する。しかし２個のリンク要素１２は、同一構造を有するため、以下の記載は、他側のリンク要素１２にも適用可能である。
【００１２】
リンク要素１２は、平坦な編組１４を有する。この編組１４は、長手軸（Ｌ）方向に水平面に沿って伸びる。編組１４は、プラスチックのような、たわみやすい柔軟性材料で一体物として形成される。これに限定される訳ではないが、編組１４は、中央の長手方向に伸びるリブ１６を有する。このリブ１６は、編組１４の上部表面から垂直上方向に突出する。
【００１３】
リンク要素１２の長手軸方向の先端は、時計１０の一側に配置され、リンク要素１２の後端（他端）は、時計１０の反対側に配置される。
【００１４】
図２に示すように、編組１４は、フレキシブルなコアを形成する。このコアは、上部包囲体１８と下部包囲体２０によりカバー（包囲）される。これらの包囲体は、レザー（皮革）、繊維、プラスチック、ネオプレン、あるいは他の時計用バンドに適した他の適宜の材料で形成される。上部包囲体１８は、下部包囲体２０と別の材料で形成してもよく、各包囲体は、異なる材料の複数個の部品から形成してもよい。
【００１５】
上部包囲体１８と下部包囲体２０は、互いに縫い合わせられる。
【００１６】
図１に示すように、編組１４の先端２２は、時計１０への取り付け器具を含む。この取り付け器具は、ケース２４を有する。このケース２４は、編組１４の先端２２に取り付けられる。この取り付け器具は、２個の同軸に配置される横方向軸Ａを有する取り付けピン２６を有する。
【００１７】
取り付けピン２６は、ケース２４の対向する２つの側面ハウジング２８内に収納される。各側面ハウジング２８は、ケース２４の２つの向かい合う（対向する）垂直横壁の１つに開口を有する。
【００１８】
各取り付けピン２６の自由端は、ケース２４の横壁から突出する。
【００１９】
編組１４の先端２２は、時計１０の２個のホーン３０の間に挿入され、その結果、取り付けピン２６の自由端は、時計１０の２個の対向する孔に収納される。この対向する孔は、時計１０のホーン３０に形成される。
【００２０】
２個の取り付けピン２６は、同軸に配置されるために、編組１４は、時計１０の横方向軸Ａの周囲に、回転可能に搭載される。
【００２１】
本発明によれば、図３に示すように、ケース２４は、下部プレート３２と上部プレート３４とを有する。この下部プレート３２と上部プレート３４は、編組１４の先端２２を挟み込みながら固定される。その結果ケース２４が、編組１４に固定される（図４）。
【００２２】
編組１４のリブ１６は、長手軸方向前方で、前垂直肩部表面３６により規定される。編組１４の先端２２は、敷石(paving stone)のような形状をしており、これは前垂直肩部表面３６に対し長手方向前方に突起している。編組１４の先端２２は、上部水平表面３８と、底部水平表面４０と、前部垂直表面４１と、２個の側部垂直表面４２とを有する。
【００２３】
編組１４の先端２２は、保持ピン４４を有する。この保持ピン４４は、垂直下方向に伸びて、底部水平表面４０から突出し、保持ピン４４と前垂直肩部表面３６により長手方向が規定される第１横方向底部溝を形成する。
【００２４】
保持ピン４４は、下部プレート３２が具備する溝４６内に垂直方向から挿入される。この溝４６は、保持ピン４４に適合する相補形状している。溝４６は、長手軸方向では、下部プレート３２の前部壁４８と後部垂直壁５０で規定され、横方向では、側部壁５２で規定される。
【００２５】
下部プレート３２は、垂直支持表面５４を有する。この垂直支持表面５４は、下部プレート３２の裏面に配置される。下部プレート３２の垂直支持表面５４は、編組１４の先端２２の前垂直肩部表面３６に当たって押される。
【００２６】
下部プレート３２が編組１４に搭載されると、下部プレート３２の後部垂直壁５０は、第１横方向底部溝（段落００２３）内に収納され、その結果、後部垂直壁５０の頂部５５は、編組１４の先端２２の底部水平表面４０に当たる。底部水平表面４０は、第１横方向底部溝の底部を形成する。
【００２７】
下部プレート３２の前部壁４８と側部壁５２は、後方に開いたU字型の頂部５６を有する。この頂部５６は、編組１４の先端２２の底部水平表面４０に当たる。図２，５に示すように、前部壁４８と側部壁５２の外側表面は、前部垂直表面４１の延長部と編組１４の先端２２の側部垂直表面４２内に配置される。
【００２８】
上部プレート３４は、その裏に底部支持表面５８を有する。底部支持表面５８は、編組１４の先端２２の上部水平表面３８に当たる。上部水平表面３８は、保持ピン４４の反対側にある。
【００２９】
かくして、編組１４の先端２２は、下部プレート３２と、上部プレート３４の底部支持表面５８の間に配置される。ケース２４に対する編組１４の長さ方向の動きは、前方向には、保持ピン４４と下部プレート３２の前部壁４８との接触により阻止され、後方向には、下部プレート３２の後部垂直壁５０により阻止される。編組１４のケース２４に対する垂直方向の動きは、上方向には上部プレート３４で阻止され、下方向には下部プレート３２で阻止される。編組１４のケース２４に対する横方向の動きは、側部壁５２で阻止される。
【００３０】
下部プレート３２は、上部接触表面６０を有する。この上部接触表面６０は、上部プレート３４の底部接触表面６２と直接接触する。接触表面６０，６２は、下部プレート３２と上部プレート３４にそれぞれ形成される。
【００３１】
接触表面６０，６２は、編組１４の先端２２の両側に横方向に伸びる。接触表面６０，６２は、後方に長手方向に開いたU字型の開口を形成し、このU字型の開口が編組１４の先端２２を囲む。この構成により、ケース２４は、編組１４の先端２２にしっかりと固定される。
【００３２】
上部プレート３４は、前突起６４を有する。この前突起６４は、垂直下方向に伸びて、ケース２４が編組１４に固定されたときに、編組１４の先端２２の前部垂直表面４１に接して配置される（図２）。前突起６４は、下部プレート３２の前部壁４８の前表面に接して、下方向に伸びる。
【００３３】
下部プレート３２の前部壁４８は、長手方向で、前突起６４と保持ピン４４の間に把持され、上部プレート３４を下部プレート３２に、さらにしっかりと固定する。
【００３４】
更に編組１４の先端２２の上部水平表面３８は、横方向溝６６が形成されている。この横方向溝６６内に、上部プレート３４の底部支持表面５８の突起部６８が、垂直下方向にスナップヒットされる。このスナップヒットにより、上部プレート３４が編組１４に対し動かないようになる。特に上部プレート３４の垂直裏面６９は、編組１４の前垂直肩部表面３６に当たって、保持される。
【００３５】
上部プレート３４は、向かい合う（対向する）側面壁７０を有する。側面壁７０は、底部支持表面５８から下方向に伸びる。側面壁７０は、編組１４の先端２２を、先端２２の側部垂直表面４２に接して横方向から囲む。側面壁７０は、溝４６の側部壁５２の上部部分に接し、上部プレート３４を下部プレート３２に対し横方向に動かないようにする。
【００３６】
かくして前突起６４と側面壁７０と突起部６８が、上部プレート３４を下部プレート３２の全ての方向に対し、水平方向で固定する。
【００３７】
下部プレート３２は、金属材料例えばスチールで形成され、上部プレート３４は、プラスチック材料で形成される。
【００３８】
本発明の変形例（図示せず）によれば、下部プレート３２と上部プレート３４は、他の材料から形成することもできる。これらは同一材料で形成してもよい。
【００３９】
時計１０のケースに対向して配置されるケース２４の前部横方向垂直面７２は、時計１０のケースの形状にマッチする形状をしている。
【００４０】
上部プレート３４は、下部プレート３２に相補形状をした弾性スナップヒットにより固定される。かくして穴７４は、下部プレート３２の上部接触表面６０に形成されている。たわむことのできる弾性材料製ののフック７６が、上部プレート３４の底部接触表面６２から、穴７４に対応した場所で、垂直下方向に伸びる。
【００４１】
図４に示すように、フック７６は、穴７４内に弾性的に挿入される。これにより、上部プレート３４を下部プレート３２に固定し、接触表面６０，６２を互いに接触するよう押して、編組１４の先端２２を挟む。
【００４２】
本発明の変形例（図示せず）によれば、上部プレート３４は、下部プレート３２に、他の手段、特に接触表面６０，６２を互いに接着することにより、又はネジにより固定することもできる。接着の場合には、フック７６をガイドピンで置換して、組立を容易にすることもできる。
【００４３】
本発明の他の態様によれば、ケース２４の各側面ハウジング２８は、下方向では下部プレート３２の上部接触表面６０で一部が形成され、上方向では上部プレート３４の底部接触表面６２で一部が形成される。
【００４４】
図５に示すように、側面ハウジング２８は、編組１４の先端２２の両側に、横方向に配置される。
【００４５】
取り付けピン２６は、ソケット７８内に、第１の外側搭載位置と第２の分解位置との間で、伸縮自在に搭載される。即ち、第１の外側搭載位置においては、取り付けピン２６は弾性的に戻され、取り付けピン２６の自由端がソケット７８の外側に突出する。第２の分解位置においては、取り付けピン２６はソケット７８内に格納される。
【００４６】
各取り付けピン２６は、ソケット７８に対しスライドする制御手段を有する。具体的には、取り付けピン２６は、制御フィンガー８０を有する。この制御フィンガー８０は、取り付けピン２６の横方向軸Ａに対し半径方向、具体的には垂直下方向に伸びる。制御フィンガー８０は、ソケット７８の外側に伸びて、ソケット７８の円筒壁内にこの目的の為に形成されたホール８２を貫通する。ホール８２は、制御フィンガー８０が軸方向にスライドできるよう、長方形をしている。
【００４７】
各取り付けピン２６とそれに関連するソケット７８は、ケース２４の側面ハウジング２８内に横方向に挿入される。
【００４８】
ソケット７８を横方向軸Ａに沿って固定するために、ケース２４は、２個の隆起部分８４を有する。各隆起部分８４は、側面ハウジング２８内を半径方向に伸びる。各隆起部分８４は、ソケット７８の環状半径方向溝８６内に、弾性変形することにより、半径方向に収納される。
【００４９】
環状溝８６は、ソケット７８の内側端部近傍に配置され、ケース２４の側面部分から離れた位置にある。
【００５０】
これに限定される訳ではないが、隆起部分８４は、上部プレート３４に形成される。隆起部分８４を側面ハウジング２８内に形成する方法は、ケース２４を２つの部品で形成することにより、単純になる。隆起部分８４は、かくして上部プレート３４と一体に例えばモールドにより形成されるのが好ましい。
【００５１】
取り付けピン２６がケース２４内に搭載されると、制御フィンガー８０は、ケース２４の２個の孔８８内に収納される（図３，４）。
【００５２】
孔８８は、下部プレート３２を、横方向軸Ａに対し半径方向に貫通して、側面ハウジング２８の一方の円筒壁内に開いている。孔８８が、下部プレート３２内に形成されているので、制御フィンガー８０は、編組１４の下に伸び、それらは、時計１０を装着したときには見えなくなる。
【００５３】
取り付けピン２６をケース２４内に搭載するために、孔８８は、横方向にケース２４の１つの側面壁に開いている。
【００５４】
本発明の変形例（図示せず）によれば、取り付けピン２６は、共通のソケット内に収納される。１個のハウジング開口を、ケース２４の２個の反対側の側面壁内に形成するために、ケース２４の２個の側面ハウジング２８を連続させる。この１個のハウジングを、編組１４の先端２２に対し前に長手方向にずらす。
【００５５】
本発明の他の態様によれば、下部プレート３２は、水平前方向に伸びる下部エッジ９０を有する。下部エッジ９０の先端は、それに向かい合って配置される時計１０のケースの外形に適合するような形状をしている。下部エッジ９０は、時計１０のケースと接触して、リンク要素１２の先端２２が、時計１０に対し、少なくとも反時計方向に回転するのを制限する（図３，４）。
【００５６】
下部エッジ９０は、中央リセス９２を有する。この中央リセス９２により、上部包囲体１８の先端舌状部分９４が通過できるようになる（図２）。先端舌状部分９４は、編組１４の下に、折り曲げられて中央リセス９２を貫通して、上部包囲体１８を編組１４の下にしっかりと固定する。
【００５７】
中央リセス９２の後底部は、下部プレート３２の溝４６の前部壁４８により形成される。中央リセス９２の横方向の幅は、上部プレート３４の前突起６４のそれに等しい。上部プレート３４が下部プレート３２上に搭載されると、上部プレート３４の前突起６４は、下部プレート３２に対し垂直方向に、中央リセス９２の側面エッジをスライドすることにより、ガイドされる。
【００５８】
リンク要素１２を組み立て作業を次に説明する。
【００５９】
上部プレート３４は、下部プレート３２の上に、所定距離離間して配置され、編組１４の先端２２の保持ピン４４は、下部プレート３２の溝４６内に下方向垂直に挿入される。その後、上部プレート３４を、下部プレート３２に対し垂直下方向に下降させ、上部プレート３４の前突起６４は、下部プレート３２の中央リセス９２内を通る。
【００６０】
上部プレート３４のフック７６は、下部プレート３２の穴７４内に挿入されて、上部プレート３４と下部プレート３２をスナップヒットにより、互いに固定し、編組１４の先端２２を掴む。
【００６１】
取り付けピン２６を具備するソケット７８は、横方向から側面ハウジング２８内に挿入される。ソケット７８が挿入されると、側面ハウジング２８の隆起部分８４は、弾性変形して、ソケット７８の環状半径方向溝８６内にはまる。かくして、ソケット７８は、軸方向でケース２４内に固定される。
【００６２】
上部包囲体１８は、編組１４の上部表面上に搭載されて、ケース２４の上部プレート３４をカバーする。上部包囲体１８の先端部分は、ケース２４の前表面に当たって折り曲げられて、上部包囲体１８の先端舌状部分９４は、編組１４の底部表面の下に押圧される。この編組１４の下で、例えば接着あるいはネジ止めで固定される。
【００６３】
下部包囲体２０は、編組１４の底部表面の下に固定され、上部包囲体１８の先端舌状部分９４を隠す。
【００６４】
かくして本発明により、ケース２４は、編組１４の上に非常に簡単な方法で作業工程の数も少なく、搭載できる。
なお、本明細書において、用語「取り付ける」と「固定する」は、同一の意味で、互換性を持って用いている。
【００６５】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００６６】
【図１】本発明による２個のリンク要素を含むブレスレットに取り付けられた時計の一部切り拡断面図で、皮革のような材料で包囲され、この皮革を切り取り、リンク要素を時計に固定する器具が見えるようにした図。
【図２】図１の線２−２に沿った縦方向断面図。
【図３】包囲体がない状態の図１のリンク要素を示す展開斜視図。
【図４】包囲体がない状態の図１のリンク要素の編組に搭載したケースを示す拡大図。
【図５】図１の線５−５に沿った横方向断面図。図面において長手軸、垂直軸、横方向軸は、図１でそれぞれ"L,V,T"で表す。
【符号の説明】
【００６７】
１０  時計
１２  リンク要素
１４  編組
１６  リブ
１８  上部包囲体
２０  下部包囲体
２２  先端
２４  ケース
２６  取り付けピン
２８  側面ハウジング
３０  ホーン
３２  下部プレート
３４  上部プレート
３６  前垂直肩部表面
３８  上部水平表面
４０  底部水平表面
４１  前部垂直表面
４２  側部垂直表面
４４  保持ピン
４６  溝
４８  前部壁
５０  後部垂直壁
５２  側部壁
５４  垂直支持表面
５５  頂部
５８  底部支持表面
６０，６２  接触表面
６０  上部接触表面
６２  底部接触表面
６４  前突起
６６  横方向溝
６８  突起部
７０  側面壁
７２  前部横方向垂直面
７４  穴
７６  フック
７８  ソケット
８０  制御フィンガー
８４  隆起部分
８６  環状半径方向溝
８８  孔
９０  下部エッジ
９２  中央リセス
９４  先端舌状部分
【図１】
0005127025.tif 000002
【図２】
0005127025.tif 000003
【図３】
0005127025.tif 000004
【図４】
0005127025.tif 000005
【図５】
0005127025.tif 000006